(57)【要約】【課題】  許可車両が常にスムースに専用駐車スペースに駐車することができる駐車スペース管理システムを提供する。【解決手段】  システムは、駐車場の入口に設けられた入力ゲート装置３と、各専用駐車スペースに設けられたナンバ読取装置４から構成される。入力ゲート装置３は、ユーザが所持する携帯端末５に表示された認証用のバーコードをスキャナによって読み取り、読み取られたバーコードを認証し、ＯＫであれば車両ナンバをナンバ読取装置４へ送信する。ナンバ読取装置４は、駐車された車両の車両ナンバを読み取り、読み取られた車両ナンバが入力ゲート装置３によって認証された車両ナンバか否かを判断し、判断結果が否であった場合に警報音を発する。【選択図】    図１
2006260363.tif 000002
【特許請求の範囲】
【請求項１】
駐車場の入口に設けられた入力ゲート装置と、駐車スペースに設置されたナンバ読取装置とから構成され、
前記入力ゲート装置は、
駐車許可ユーザおよび駐車許可車両のデータが記憶された記憶手段と、
ユーザが所持する表示具に表示された認証用の画像を読み取る画像読取手段と、
前記画像読取手段によって読み取られた画像を前記記憶手段内のデータに基づいて認証する画像認証手段と、
前記画像認証手段による認証結果を前記ナンバ読取装置へ送信する送信手段と、
を具備し、
前記ナンバ読取装置は、
駐車された車両の車両ナンバを読み取る読取手段と、
前記読取手段によって読み取られた車両ナンバが前記入力ゲート装置によって認証された車両ナンバか否かを判断する判断手段と、
前記判断手段の判断結果が否であった場合に警報音を発する警報手段と、
を具備することを特徴とする駐車スペース管理システム。
【請求項２】
前記表示具は携帯端末であることを特徴とする請求項１に記載の駐車スペース管理システム。
【請求項３】
前記表示具はカードであることを特徴とする請求項１に記載の駐車スペース管理システム。
【請求項４】
前記認証用の画像は、バーコードまたは２次元コードであることを特徴とする請求項１〜請求項３のいずれかの項に記載の駐車スペース管理システム。
【請求項５】
前記画像読取手段に代えて、ユーザが所持する携帯端末からの通信を受信する受信手段を設け、
前記画像認証手段に代えて、前記受信手段によって受信されたデータを前記記憶手段内のデータに基づいて認証するデータ認証手段を設け、
前記送信手段が、前記データ認証手段による認証結果を前記ナンバ読取装置へ送信することを特徴とする請求項１に記載の駐車スペース管理システム。
【請求項６】
前記入力ゲート装置は、ユーザが暗証番号を入力する入力手段と、入力された暗証番号を前記記憶手段内のデータに基づいて認証する暗証番号認証手段とをさらに具備することを特徴とする請求項１〜請求項５のいずれかの項に記載の駐車スペース管理システム。
【発明の詳細な説明】
【技術分野】
【０００１】
本発明は、駐車場に設けられた専用スペースを管理する駐車スペース管理システムに関する。
【背景技術】
【０００２】
周知のように、スーパー等の駐車場には、駐車が許可された車両のみが駐車できる専用駐車スペースと、来客が自由に駐車できる自由駐車スペースとが存在する。ここで、専用駐車スペースは、例えば高齢者、身障者、妊娠中の女性等が使用できるスペースである。
ところで、専用駐車スペースに駐車が許可されている車両が専用駐車スペースに着いた時、その専用駐車スペースに無許可の車両が既に不正駐車している場合がある。このような場合に、無許可車両の退去を促す警告を発するシステムが開発されている（特許文献１「駐車状況管理装置及び管理方法」参照）。
【特許文献１】特開2004-171247号公報
【発明の開示】
【発明が解決しようとする課題】
【０００３】
しかしながら、このシステムが設置されていても、無許可車両に退去の警告が発せられてから実際にその車両が退去するまでには相応の時間を要すると思われるため、許可車両がスムーズに駐車できるとは限らない問題がある。また、このシステムは、許可車両が来なければ退去の警告が発せられることがないため、一般車両がマナーを無視して駐車するケースがなくなることがなく、このため、許可車両が常にスムースに駐車できる環境は作り得ない。
本発明は上記事情を考慮してなされたもので、その目的は、許可車両が常にスムースに専用駐車スペースに駐車することができる駐車スペース管理システムを提供することにある。
【課題を解決するための手段】
【０００４】
この発明は上述した課題を解決するためになされたもので、請求項１に記載の発明は、駐車場の入口に設けられた入力ゲート装置と、駐車スペースに設置されたナンバ読取装置とから構成され、前記入力ゲート装置は、駐車許可ユーザおよび駐車許可車両のデータが記憶された記憶手段と、ユーザが所持する表示具に表示された認証用の画像を読み取る画像読取手段と、前記画像読取手段によって読み取られた画像を前記記憶手段内のデータに基づいて認証する画像認証手段と、前記画像認証手段による認証結果を前記ナンバ読取装置へ送信する送信手段とを具備し、前記ナンバ読取装置は、駐車された車両の車両ナンバを読み取る読取手段と、前記読取手段によって読み取られた車両ナンバが前記入力ゲート装置によって認証された車両ナンバか否かを判断する判断手段と、前記判断手段の判断結果が否であった場合に警報音を発する警報手段とを具備することを特徴とする駐車スペース管理システムである。
【０００５】
請求項２に記載の発明は、請求項１に記載の駐車スペース管理システムにおいて、前記表示具は携帯端末であることを特徴とする。
請求項３に記載の発明は、請求項１に記載の駐車スペース管理システムにおいて、前記表示具はカードであることを特徴とする。
請求項４に記載の発明は、請求項１〜請求項３のいずれかの項に記載の駐車スペース管理システムにおいて、前記認証用の画像は、バーコードまたは２次元コードであることを特徴とする。
【０００６】
請求項５に記載の発明は、請求項１に記載の駐車スペース管理システムにおいて、前記画像読取手段に代えて、ユーザが所持する携帯端末からの通信を受信する受信手段を設け、前記画像認証手段に代えて、前記受信手段によって受信されたデータを前記記憶手段内のデータに基づいて認証するデータ認証手段を設け、前記送信手段が、前記データ認証手段による認証結果を前記ナンバ読取装置へ送信することを特徴とする。
請求項６に記載の発明は、請求項１〜請求項５のいずれかの項に記載の駐車スペース管理システムにおいて、前記入力ゲート装置は、ユーザが暗証番号を入力する入力手段と、入力された暗証番号を前記記憶手段内のデータに基づいて認証する暗証番号認証手段とをさらに具備することを特徴とする。
【発明の効果】
【０００７】
この発明によれば、無許可車両が専用駐車スペースに駐車した場合に即座に警告が発せられるので、無許可車両の退去が短時間で行われ、許可車両が常にスムースに専用駐車スペースに駐車することができると共に、マナー無視の車両を減少させることができる。これにより、専用駐車スペースの本来の目的に添った使用が推進できる。
また、請求項２の発明によれば、携帯端末によって認証ができるので、特別なカード等を必要としない利点がある。
【発明を実施するための最良の形態】
【０００８】
以下、図面を参照し、この発明の実施の形態について説明する。図１はこの発明の一実施の形態による駐車スペース管理システムの構成を示すブロック図である。この駐車スペース管理システムは、管理センタに設けられ専用駐車スペースの管理を行う管理サーバ１と、この管理サーバ１と通信ネットワーク２を介して接続され、駐車場入口に設置された入力ゲート装置３と、専用駐車スペースに設置され、入力ゲート装置３とワイヤ配線で接続されたナンバ読取装置４−１、４−２と、専用駐車スペースのユーザが所有する携帯端末５、５・・・とから構成され、携帯端末５、５・・・は基地局６および通信ネットワーク２を介して管理サーバ１および入力ゲート装置３に接続される。
【０００９】
図２は本実施形態における駐車場を示す図である。この図において、８−１、８−２は専用駐車スペースであり、奥側の端縁部にナンバ読装置４−１、４−２がそれぞれ取り付けられている。８−３〜８−６は自由駐車スペースである。そして、入口に入力ゲート装置３が設置されている。
【００１０】
図３は入力ゲート装置３の外観図、図４は同装置の回路構成を示すブロック図である。これらの図において、１１はＣＰＵ（中央処理装置）、１２はＣＰＵ１１のプログラムが記憶されたＲＯＭ（リードオンリメモリ）、１３はデータ一時記憶用のＲＡＭ（ランダムアクセスメモリ）である。１４は通信装置であり、管理サーバ１または携帯端末５とデータの送受信を行う。１５は携帯端末５の表示部に表示されたバーコードを読み取るスキャナであり、装置の前面に設けられた読み取り窓１５ａ（図３）に携帯端末５の表示部に表示されたバーコードが近接されると、そのバーコードを読み取り、バスラインを介してＣＰＵ１へ出力する。１６、１７は各々、装置前面に設けられたテンキーおよび液晶による表示装置である。１８はインターフェイスであり、ナンバ読取装置４−１、４−２とＣＰＵ１との間のデータ授受を仲介する。
【００１１】
図５はナンバ読取装置４−１、４−２の構成を示すブロック図である。これらの図において、２１はＣＰＵ、２２はＣＰＵ１１のプログラムが記憶されたＲＯＭ、２３はデータ一時記憶用のＲＡＭである。２４はインターフェイスであり、入力ゲート装置３とＣＰＵ２１との間のデータ授受を仲介する。２５はスキャナであり、車両のナンバープレートＮＰの文字または数字を読み取り、ＣＰＵ２１へ出力する。２６は音声合成回路であり、ＣＰＵ２１の指示を受け、予め内部のメモリに記憶されている音声データに基づいて音声信号を合成し、アンプ２７を介してスピーカ２８へ出力する。
【００１２】
次に、上述した駐車スペース管理システムの動作を図６および図７に示すフローチャートを参照して説明する。なお、図６は入力ゲート装置３の動作であり、図７はナンバ読取装置４の動作である。
まず、専用駐車スペースの利用を希望するユーザは、管理センタへ次の事項を記載した申込書を提出し、専用駐車スペースの利用を申請する。
氏名
住所
携帯端末の電話番号（携帯番号）
車両ナンバ
暗証番号
【００１３】
管理センタの担当者はその申請を審査し、駐車許可を行う場合は、これらのデータおよびバーコード番号を管理サーバ１のデータベースに記憶させる。ここで、バーコード番号は管理センタにおいて、ユーザ毎に決められる番号である。次に、担当者は、バーコード番号に対応するバーコードをユーザの携帯端末５へ送信する。このバーコードはユーザの携帯端末５のメモリに書き込まれる。次に、担当者は、上記のユーザに関するデータおよびバーコード番号の送信を管理サーバ１へ指示する。管理サーバ１はこの指示を受け、各データをネットワーク２を介して入力ゲート装置３へ送信する。送信されたデータは入力ゲート装置３のＲＡＭ１３に書き込まれる。
このように、専用駐車スペース８−１、８−２を使用するユーザのデータは予め入力ゲート装置３のＲＡＭ１３内に設定される。
【００１４】
次に、専用駐車スペース８−１、８−２の使用許可を得たユーザが申請した車両ナンバの車両に乗って駐車を行う場合、まず、ユーザは駐車場に入る前に入力ゲート装置３の前で携帯端末５の表示部に管理サーバ１から受信したバーコードを表示させ、次いで、その表示部を入力ゲート装置３の読み取り窓１５ａに近接させる。入力ゲート装置３のスキャナ１５は、そのバーコードを読み取り、ＣＰＵ１１へ出力する。
【００１５】
ＣＰＵ１１は、常時は、図６に示すステップＳ１〜Ｓ５の判断を繰り返し実行している。そして、管理サーバ１から上述した許可車両の通知があった場合は、ステップＳ１の判断が「ＹＥＳ」となることから、ステップＳ６へ進み、管理サーバ１から送信された許可車両についての各データをＲＡＭ１３に記憶させる。
【００１６】
次に、スキャナ１５から上述したバーコードの読み取り通知を受けた時は、ステップＳ２の判断が「ＹＥＳ」となり、ステップＳ７へ進む。ステップＳ７では、スキャナ入力処理が行われる。すなわち、ＣＰＵ１１は、まず、スキャナ２５から受けたバーコードをＲＯＭ１２内のバーコード認識ソフトによって認識し、バーコード番号を取得する。次に、そのバーコード番号をＲＡＭ１３内に記憶されている複数の許可車両のユーザのバーコード番号を検索し、一致する番号があるか否かを判断する。そして、一致する番号がある場合は、表示装置１７に「暗証番号を入力してください。」という表示を行う。ユーザが表示を見て、テンキー１６によって暗証番号を入力すると、入力された暗証番号がＣＰＵ１１へ送られる。
【００１７】
ＣＰＵ１１はその暗証番号をＲＡＭ１３内の一致したユーザのデータに含まれる暗証番号と比較し、一致していた場合は、表示装置１７に「認証ができました。」という表示を行い、次いで当該車両の車両ナンバを、ＲＡＭ１３内に設定された保留車両エリアに書き込む。ユーザはその表示を確認して駐車場内に車両を進める。なお、認証はバーコードの読み取りのみで行ってもよい。保留車両エリアとは、駐車場の入口を通過した許可車両で専用駐車スペース８−１または８−２にまだ入っていない車両のナンバが一時記憶されるエリアである。
【００１８】
次に、ユーザが携帯端末５の表示部を使用できない場合は、携帯端末５から入力ゲート装置３へ電話をかける。その通話情報は基地局６からネットワーク２を介して入力ゲート装置３の通信装置１４において受信され、通信装置１４から携帯端末５の電話番号がＣＰＵ１１へ出力される。ＣＰＵ１１がその電話番号を受けるとステップＳ３の判断が「ＹＥＳ」となり、ステップＳ８へ進む。ステップＳ８では通信入力処理が実行される。
【００１９】
すなわち、ＣＰＵ１１は、まず、通信装置１４から受けた電話番号を、ＲＡＭ１３内の複数のユーザの携帯端末の電話番号から検索し、一致する電話番号があるか否かを判断する。そして、一致する電話番号がある場合は、表示装置１７に「暗証番号を入力してください。」という表示を行う。ユーザが表示を見て、テンキー１６によって暗証番号を入力すると、ＣＰＵ１１はその暗証番号をＲＡＭ１３内の一致したユーザのデータに含まれる暗証番号と比較し、一致していた場合は、表示装置１７に「認証ができました。」という表示を行い、次いで当該車両の車両ナンバを、ＲＡＭ１３内に設定された保留車両エリアに書き込む。ユーザはその表示を確認して駐車場内に車両を進める。なお、認証は電話番号の確認のみで行ってもよい。
【００２０】
次に、駐車場内に進んだユーザは、専用駐車スペース８−１または８−２に車両を駐車させる。いま、専用駐車スペース８−１に車両を駐車させたとする。該車両が駐車スペース８−１に駐車されると、ナンバ読取装置４−１のスキャナ２５が駐車された車両のナンバを読み取り、スキャナデータとしてＣＰＵ２１へ出力する。ＣＰＵ２１は、常時は、スキャナ２５からの読取通知を待っている（図７のステップＳａ１）。そして、スキャナ２５からスキャナデータを受けると、そのデータを一旦ＲＡＭ２３に記憶させ（ステップＳａ２）、次いで、ＲＯＭ２２内の認識ソフトによってスキャナデータを車両ナンバに変換する（ステップＳａ３）。
【００２１】
次に、ＣＰＵ２１は、インターフェイス２４を介して入力ゲート装置３へ保留車両の番号を要求する（ステップＳａ４）。この要求は、入力ゲート装置３のインターフェイス１８を介してＣＰＵ１１へ入力される。ＣＰＵ１１がこの要求を受けると、図６のステップＳ４の判断が「ＹＥＳ」となることから、ステップＳ９へ進み、ＲＡＭ１３内の保留車両エリア内の車両ナンバを全てナンバ読取装置４−１へ送信する。ナンバ読取装置４−１のＣＰＵ２１は、まず、入力ゲート装置３から車両ナンバが返信されたか否か、すなわち、現在、駐車場入口を通過し、専用駐車スペースに駐車していない保留車両があるか否かを判断する（ステップＳａ５）。そして、判断結果が「ＮＯ」であった場合は、駐車不可信号を音声合成回路２６へ出力する（ステップＳａ６）。音声合成回路２６はこの信号を受け、例えば、「駐車できません。すぐに駐車スペースから出て下さい。」という音声信号を合成し、アンプ２７を介してスピーカ２８へ出力する。これにより、上記の音声がスピーカ２８から発生する。またこの時、ＣＰＵ２１は無許可駐車があったことを入力ゲート装置３のＣＰＵ１１へ通知する。ＣＰＵ１１はこの通知を管理サーバ１へ転送する。
【００２２】
次に、ＣＰＵ１１が入力ゲート装置３から保留車両のナンバを受けた時は、ステップＳａ５の判断が「ＹＥＳ」となり、ステップＳａ７へ進む。ステップＳａ７では、ＣＰＵ２１が、ステップＳａ３において認識したナンバと、入力ゲート装置３から送信されたナンバとの番号照合を行う。そして、認識したナンバが保留車両のナンバのいずれとも一致していない場合はステップＳａ６へ進み、上記と同様の音声が発音される。一方、いずれかと一致していた場合は、認識したナンバおよび駐車完了を示すデータを入力ゲート装置３のＣＰＵ１１へ送信する。これらのデータがＣＰＵ１１において受信されると、図６のステップＳ５の判断が「ＹＥＳ」となり、ステップＳ１０へ進む。ステップＳ１０では、ＣＰＵ１１がＲＡＭ１３内の保留車両エリアから、受信したナンバを削除する。
【００２３】
このように、上記実施形態によれば、入力ゲート装置３において認証を受け、かつ、ナンバ読取装置４−１、４−２におけるチェックに合格した車両のみ専用駐車スペース８−１、８−２に駐車可能である。すなわち、本実施形態は、
(1)入口における携帯電話によるユーザ認証
(2)駐車スペースにおける車両ナンバによる車両認証
の２種類の認証を駐車時の必須要件としている。このように構成している理由は、許可を受けたユーザから許可を受けた車両を借りた人が、入力ゲート装置３における認証を受けずに駐車場に入り、専用駐車スペースに駐車することを防ぐためである。なお、対象の駐車場は自由駐車スペース８−３〜８−６があり、どの車両でも入力ゲート装置３の認証を受けずに駐車場内に入ることができる。また、上記の構成の別の理由は、許可を受けているユーザが他人の許可を受けていない車両を専用駐車スペースへ停車させることを禁止するためである。すなわち、本実施形態は、許可を受けたユーザが許可を受けた車両を駐車させる場合のみ駐車を許可するようになっている。
【００２４】
なお、上記実施形態においては、管理サーバが許可車両およびユーザの情報を入力ゲート装置３へ送信し、入力ゲート装置３およびナンバ読取装置４が送信された情報を用いてユーザおよび車両の認証を行うようになっているが、これに代えて、入力ゲート装置３がユーザの認証の毎にネットワーク２を介して管理サーバにアクセスし、ユーザ情報を得るようにしてもよい。また、管理サーバ１の機能を入力ゲート装置３の内部に設けてもよい。
【００２５】
また、上記実施形態においては、携帯端末５にバーコードを読み込ませるようになっているが、バーコードに代えてＱＲコード等の２次元コードを用いてもよい。
また、携帯端末５に代えて、管理センタが発行するバーコード等が記載されたカードを使用してもよい。また、携帯端末は、携帯電話、ＰＤＡ、ＰＨＳ等どのような端末でもよい。
また、バーコード等に有効期限を含めておき、入力ゲート装置３においてチェックするようにしてもよい。
【産業上の利用可能性】
【００２６】
この発明は、スーパーの駐車場等、許可車両のみ駐車できるスペースと自由に誰でも駐車できるスペースとが混在する駐車場に用いて好適である。
【図面の簡単な説明】
【００２７】
【図１】この発明の一実施形態による駐車スペース管理システムの構成を示すブロック図である。
【図２】駐車場の一例を示す図である。
【図３】図１における入力ゲート装置３の外観図である。
【図４】同入力ゲート装置の回路構成を示すブロック図である。
【図５】図１におけるナンバ読取装置４−１，４−２の回路構成を示すブロック図である。
【図６】入力ゲート装置３の動作を示すフローチャートである。
【図７】ナンバナンバ読取装置４−１，４−２の動作を示すフローチャートである。
【符号の説明】
【００２８】
１…管理サーバ、２…ネットワーク、３…入力ゲート装置、４−１、４−２…ナンバ読取装置、５…携帯端末、８−１、８−２…専用駐車スペース、１１、２１…ＣＰＵ、１２、２２…ＲＯＭ、１３、２３…ＲＡＭ、１４…通信装置、１５、２５…スキャナ、１６…テンキー、１７…表示装置、１８、２４…インターフェイス、２６…音声合成回路、２８…スピーカ。
【図１】
2006260363.tif 000003
【図２】
2006260363.tif 000004
【図３】
2006260363.tif 000005
【図４】
2006260363.tif 000006
【図５】
2006260363.tif 000007
【図６】
2006260363.tif 000008
【図７】
2006260363.tif 000009